(57)【要約】      （修正有）【課題】たとえ親骨が直線状であっても、傘を開いた際に、傘布の張力によって露先部材が下方に曲折すると共に、傘布も下方に曲折装設され、露先部材のみならず、傘布の円周部分全体が下方に曲折され、通行人の目の安全を確保することができる傘を提供する。【解決手段】シャフト１１、親骨２及び傘布４を有し、開閉可能な日傘に適する傘に用いられる部材において、親骨の先端に取り付けられる露先部材３であって、前記露先部材は端部に傘布を止着する傘布止着部３１を有し、傘を開いた際には、前記傘布の張力により前記露先部材が下方に曲折して対向者の目の安全に寄与すると共に、閉じた際には原状の直線状になることを特徴とする露先部材。【選択図】図１
2020065905.tif 000002
【特許請求の範囲】
【請求項１】
シャフト、親骨及び傘布を有し、開閉可能な日傘に適する傘に用いられる部材において、
親骨の先端に取り付けられる露先部材であって、
前記露先部材は端部に傘布を止着する傘布止着部を有し、
傘を開いた際には、前記傘布の張力により前記露先部材が下方に曲折して対向者の目の安全に寄与すると共に、閉じた際には原状の直線状になることを特徴とする傘の露先部材。
【請求項２】
露先部材の材質が、外力によってバネ材の如く弾性的に曲折可能であると共に、外力が無くなることによって原状に復帰する可撓性樹脂等であることを特徴とする上記１に記載の傘の露先部材。
【請求項３】
露先部材が、バネ材を有すると共に、枢止されることにより親骨に取り付けられることを特徴とする上記１又は２に記載の傘の露先部材。
【請求項４】
請求項１〜３のいずれかに記載の露先部材を備えることを特徴とする傘。
【請求項５】
ハンドル部に設けられた貯水タンク及び手動又は電動ポンプと、
シャフト部に沿って設けられた第１給水管と、
骨部の１つに沿って設けられた第２給水管及びその先端部に設けられたノズルとを有する噴霧装置付きの傘であって、
前記ポンプを作動させることによって、貯水タンク内の水が第１給水管及び第２給水管を通り、第２給水管の先端部に設けられたノズルから霧状になって散布される噴霧装置付きの日傘として適切な請求項４に記載の傘。
【請求項６】
第２給水管の先端部に設けられたノズルが、下方に曲折した露先部材に止着された傘布の内側に向け霧状水を噴出する構成であることを特徴とする噴霧装置付きの日傘として適切な請求項５に記載の傘
【発明の詳細な説明】
【技術分野】
【０００１】
本発明は傘の露先部材及び露先部材を取り付けた噴霧装置付きの日傘として適切な傘に関し、詳しくは、傘を広げた際に下方に曲折する露先部材及び該露先部材を親骨の先端に取り付け、ハンドル部に設けられた貯水タンクに蓄えられた水がシャフト部及び骨部に沿って設けられた給水管を通り、下方に曲折した露先部材及び該露先部材に張られた傘布に向かって霧状になって散布される噴霧装置付きの日傘として適切な傘に関する。
【背景技術】
【０００２】
傘を使用する際において、親骨の先端に取り付けられた露先が、通行人の顔とりわけ目に接触する危険性については、かねてより言及されてきた。
【０００３】
この点を解決する技術として、特許文献１及び２に記載の技術が知られている。即ち、特許文献１は、むき出しになっている親骨の先端又は露先に、拡散拡張させて横方向に受圧面を形成することによって、使用時に通行人の目の安全を確保するものであり、特許文献２は、特許文献１と同様に、親骨の先端を旋回又は屈曲させて横方向に受圧面を形成し、目の安全を確保するものである。
【０００４】
これらの技術は、先端が突起状ではないという点においては通行人（対向者）の目の安全に寄与する部分があるものの、縦方向よりも横方向に長い人間の目の構造上、横方向に受圧面を形成しても、目の安全を図るには不十分であった。
【０００５】
また、霧を噴出させる機能を有する傘として、特許文献３及び４に記載の技術が知られている。即ち、石づき部に設けた散水装置あるいは噴霧装置を作動させ、傘の生地表面や周辺の地面を湿潤状態にさせ、その気化熱を利用して清涼感をもたらし夏の酷暑を凌ぐことを目的とした傘である。この技術は、傘の生地の外側にある石づき部から水あるいは霧が噴出されるため、傘の中にいる使用者に直接的にはその恩恵がもたらされないという難点がある。
【０００６】
この点を解決する技術として、特許文献５に記載の技術が知られている。即ち、シャフトに加湿器を取り付け、傘の内側の湿度を調整し、使用時の快適度を改善させる傘である。この技術は、加湿口の位置がシャフトの近傍に固定されており、風向きや風の強さによっては、湿気を含んだ空気がたやすく風に煽られ別の方向へと飛んで行き、使用者がその恩恵にあずかりにくくなるという難点がある。
【先行技術文献】
【特許文献】
【０００７】
【特許文献１】特許第４６２８３６８号公報
【特許文献２】特許第５８０４５７０号公報
【特許文献３】実開昭５６−３００１９号公報
【特許文献４】特許第３３５５３３０号公報
【特許文献５】特許第６０３３４３４号公報
【発明の概要】
【発明が解決しようとする課題】
【０００８】
本発明の目的は、たとえ親骨が直線状であっても、傘を開いた際に、傘布の張力によって露先部材が下方に曲折すると共に、傘布も下方に曲折装設され、露先部材のみならず、傘布の円周部分全体が下方に曲折され、通行人の目の安全を確保することができる傘であって、風がないときはもとより、風があるときにも効果的に水の気化熱による冷涼感を使用者が直接的に安定して得ることができる噴霧装置付きの日傘として適切な傘を提供することである。
【課題を解決するための手段】
【０００９】
上記課題を解決する本発明は、以下の構成を有する。
１．シャフト、親骨及び傘布を有し、開閉可能な日傘に適する傘に用いられる部材において、
親骨の先端に取り付けられる露先部材であって、
前記露先部材は端部に傘布を止着する傘布止着部を有し、
傘を開いた際には、前記傘布の張力により前記露先部材が下方に曲折して対向者の目の安全に寄与すると共に、閉じた際には原状の直線状になることを特徴とする傘の露先部材。
２．露先部材の材質が、外力によってバネ材の如く弾性的に曲折可能であると共に、外力が無くなることによって原状に復帰する可撓性樹脂等であることを特徴とする上記１に記載の傘の露先部材。
３．露先部材が、バネ材を有すると共に、枢止されることにより親骨に取り付けられることを特徴とする上記１又は２に記載の傘の露先部材。
４．上記１〜３のいずれかに記載の露先部材を備えることを特徴とする傘。
５．ハンドル部に設けられた貯水タンク及び手動又は電動ポンプと、
シャフト部に沿って設けられた第１給水管と、
骨部の１つに沿って設けられた第２給水管及びその先端部に設けられたノズルとを有する噴霧装置付きの傘であって、
前記ポンプを作動させることによって、貯水タンク内の水が第１給水管及び第２給水管を通り、第２給水管の先端部に設けられたノズルから霧状になって散布される噴霧装置付きの日傘として適切な上記４に記載の傘。
６．第２給水管の先端部に設けられたノズルが、下方に曲折した露先部材に止着された傘布の内側に向け霧状水を噴出する構成であることを特徴とする噴霧装置付きの日傘として適切な上記５に記載の傘。
【発明の効果】
【００１０】
請求項１に示す発明によれば、傘を使用する際において、傘の円周部分全体が下方に曲折するため、親骨の先端又は露先が突出することなく、通行人の目に対する危険性を激減させることが可能となる。
【００１１】
請求項２及び３に示す発明によれば、より安全性の高い露先部材を提供できると共に、傘の開閉操作も容易である傘の露先部材を提供できる。
【００１２】
請求項４に示す発明によれば、上記効果を発揮できる傘を提供できる。
【００１３】
請求項５に示す発明によれば、ハンドル部にポンプが設けられていることにより、傘を差すその手で同時にポンプを作動させ、霧を噴出させることが可能となる。
【００１４】
また、請求項５に示す発明によれば、骨部の１つに沿って設けられた第２給水管の先端に配置したノズルから霧を噴出させることにより、風向きや風の強さにかかわらず傘の内側、即ち、傘を差す使用者に霧が当たるようにすることが可能となる。たとえば、右側方から風が吹いてくる際には、ノズルが右側方に位置するように傘を持てばよいし、後方から風が吹いてくる際には、ノズルが後方に位置するように傘を持てばよい。無風状態ならば、ノズルが進行方向に位置するように傘を持つことで、ノズルから噴出された霧の中に歩みを進める形となり、使用者の身体に霧が降りかかることとなる。
【００１５】
請求項６に示す発明によれば、ノズルより噴射される霧は、円周部分が下方に曲折した傘布に沿うように進行方向を下方に曲げ、上下方向に幕状に広がることで、傘の外側に立ち込める暑い空気を遮断し、使用者の冷涼感を高めることが可能となる。
【図面の簡単な説明】
【００１６】
【図１】本発明に係る露先部材を備えた傘の構造を示す概略図（一部拡大図）
【図２】図１の傘における傘布の一片の形状を示す概略図
【図３】本発明に係る露先部材の一実施例を示す概略図
【図４】本発明に係る露先部材の他の実施例を示す概略図
【図５】本発明に係る露先部材を備えた傘を開いた状態の参考平面図
【図６】本発明に係る露先部材を取り付けた噴霧装置付きの日傘として適切な傘の構造を示す概略図
【図７】貯水タンクとポンプの構造を示す概略図
【図８】貯水タンクへの給水方法を示す概略図
【図９】ノズルの構造を示す一部拡大概略図
【図１０】後方から風が吹いている時の使用状態を示す参考図
【図１１】無風の中、前方に歩いている時の使用状態を示す参考図
【発明を実施するための形態】
【００１７】
次に、添付の図面に従って本発明を実施例に基づき詳細に説明する。
【００１８】
本発明に係る露先部材３は、シャフト１１、親骨２及び傘布４を有し、開閉可能な日傘に適する傘１に用いられる部材において、
親骨の先端に取り付けられる露先部材３であって、
前記露先部材３は端部に傘布４を止着する傘布止着部３１を有し、
傘を開いた際には、前記傘布４の張力により前記露先部材３が下方に曲折し、閉じた際には直線状になることを特徴とする露先部材である。
【００１９】
図１に示すように、本発明に係る露先部材を備えた傘は、傘本体１に複数本の親骨２を備えており、各々の親骨の先端には露先部材３が取り付けられ、傘を開いた際には該露先部材３が下方に曲折し、該露先部材３を覆うように傘布４が止着されている。
【００２０】
図２に示すように、傘布４の一片である布片４１は、二等辺三角形に近似した形状を有する三角形部位４２及び四辺形に近似した形状を有する四辺形部位４３とから構成され、両者は可動支点４４ａ及び可動支点４４ｂを結ぶ折れ線４５によって作用的に分けられている。
【００２１】
三角形部位４２は主に親骨２に沿って張られる親骨辺４６、四辺形部位４３は主に露先部材３に沿って張られる露先辺４７及び傘を開いた際に傘布４の縁を形成することになる傘布縁辺４８とを有する。
【００２２】
ここで、三角形部位４２の頂角にあたる角度をθとし、角度θを中心角とし親骨辺４６及び露先辺４７を足し合わせた長さを半径Ｒとする扇形Ｓを想定すると、布片４１の傘布縁辺４８は、該扇形Ｓの円弧Ａあるいは弦Ｃより短く設計される。
【００２３】
即ち、一般的な傘布において、扇形に近似した形状を有する布片を円形に組み合わせることにより、傘を開いた際に円あるいは正多角形に近似した図形を形成するところ、扇形Ｓの円弧Ａあるいは弦Ｃに対し布片４１は傘布縁辺４８が短く設計されているため、布片４１を円形に並べたとしても、半径Ｒの円周に十分な長さが確保されないことになる。
【００２４】
従って、布片４１を張り合わせた傘本体１を開こうとしても、傘布縁辺４８の短さのゆえそのまま開ききることができず、可動支点４４ａ及び４４ｂが稼働し、折れ線４５を境に四辺形部位４３に傘布縁辺４８を内側に向かわせようとする力が働き、張り付けられた露先部材３ごと傘布４は下向きに曲折する。
【００２５】
なお、傘布縁辺４８は弦Ｃより短ければよく、折れ線４５との長さの比較は重要ではない。即ち、四辺形部位４３は、折れ線４５より傘布縁辺４８の方が長い台形でも良く、図２において図示するような、折れ線４５より傘布縁辺４８の方が短い逆台形でも良い。折れ線４５と傘布縁辺４８の長さが等しい長方形でも良い。
【００２６】
図３は、露先部材３の一実施例を示している。露先部材３は親骨連結部３２を親骨に差し込むことにより親骨と連結し、露先部材３の上面に傘布４が張られ、傘布止着部３１において傘布４を止着する。
【００２７】
露先部材３は、外力によってバネ材の如く弾性的に曲折可能であると共に、外力が無くなることによって原状に復帰する公知公用の可撓性樹脂（天然ゴム、合成ゴム類を含む。）により成形されており、傘を開く際において露先部材３は傘布４の力を受けて、可動支点３３を支点にして容易に下方に曲折される。
【００２８】
傘を閉じると上記の傘を開く力が消失し、露先部材３は再び直線状の形状に戻る。
【００２９】
図４は露先部材３の他の実施例を示している。露先部材３は親骨連結部３２において軸穴３４を有し、親骨の先端に設けられた軸穴２１と軸３５によって枢止され、傘を閉じた状態では直線状に配置される。
【００３０】
親骨２及び露先部材３の上面にはバネ材３６が設けられ、バネ材３６を覆うように傘布４が張られる。
【００３１】
傘を開くと、傘布４の力を受けて露先部材３は可動支点３３を支点として下方に曲折され、傘を閉じると、バネ材３６の復元力により露先部材３は再び直線状の配置に戻る。
【００３２】
バネ材３６はシリコーン、ゴム等の弾力性のある素材で形成され、その形状は板バネ、弦巻バネ等が考えられるが、素材及び形状はこれらに限るものではなく、金属を含む公知公用のいずれのものを採用してもよい。
【００３３】
なお、弦巻バネを用いる場合、例えば弦巻部は軸３５に軸支され、一方の開放バネ部は親骨２側に固定され、他方の開放バネ部は露先部材３側に固定され、弦巻バネの作用を営むようにすればよい。
【００３４】
また、本発明における露先部材を使用することで、通行人の目の安全を確保するという本発明の課題を解決できるものの、より良好な効果を得るため、本発明において、親骨２の本数を６本又は５本の如くより少なくすることが好ましく、最小で４本まで減らしてもよい。このように親骨の本数が減ることにより、露先部材が通行人に危険を及ぼすリスクを更に減少させることが可能となる。
【００３５】
親骨の本数を４本まで減らした場合、図５に示すように、傘を開いた際には、正方形は勿論、長方形に近似した図形が形成される構造にしても良い。こうすることで、傘としての役割を果たすのに十分な傘布の面積及び形状を取りつつ、強風の日には短い辺を風上に向けることで、下方に曲折した四辺形部位４３の面積を小さくし、傘にかかる風圧を少なくすることが可能となる。
【００３６】
図６は、噴霧装置６を付けた傘の構造を示している。傘本体１のハンドル部５に貯水タンク５１を内蔵しており、貯水タンク５１に蓄えられた水は、シャフト１１に沿った第１給水管６１から連結部６２を経由して親骨２に沿った第２給水管６３に注ぎ込まれ、第２給水管６３の先端に設けられたノズル６４から霧Ｍとして散布される構造になっている。
【００３７】
貯水タンク内５１の水を第１給水管６１に吸い上げるポンプとしては、たとえば図７に示すような構造が挙げられる。図７（ａ）に示すように、ピストン５２のトリガー部５３がハンドル部５の上部に設けられており、図７（ｂ）に示すように、このトリガー部５３を押圧することでシリンダ５４内が加圧され、吐出し弁５５が開かれシリンダ５４内の水が第１給水管６１へと導かれる。図７（ｃ）に示すように、トリガー部の押圧を止めるとシリンダ５４内に負圧が生じ、吸込み弁５６が開かれ貯水タンク５１内の水がシリンダ５４へと導かれる。なお、ポンプの構造はこれに限るものではなく、公知公用のいずれの構造を採用してもよい。
【００３８】
貯水タンク５１への給水方法に関しては、ハンドル部５に設けられた給水孔５７に、油さしの如き注ぎ口の細長い容器を差し込んで貯水タンク５１内に直接水を注ぎ込むという形態が挙げられる。給水時以外は、給水孔５７は蓋５８によって閉塞しておくのが好ましい。
【００３９】
また、給水方法に関しては図８に図示するような構造が挙げられる。即ち、図８（ａ）に示すように螺合されたハンドル部５とシャフト部１１とを図８（ｂ）に示すように取り外し、給水孔５７から水を補給するという構造である。
【００４０】
なお、給水方法に関してはこれらの形態に限るものではなく、他にもたとえばカートリッジ式であり、貯水量が少なくなるとハンドル部５を開閉して貯水タンクを取り外し、十分な量の水を補給して再度装填するといった構造等、公知公用のいずれの構造を採用してもよい。
【００４１】
図８に示すように、ハンドル部５の大きさに対して貯水タンク５１が最大限の容積を取れるよう、貯水タンク５１がハンドル部５を兼用している形状であるのが好ましい。
【００４２】
第１給水管６１はシャフト部１１の内側に設けてもよく、シャフト部１１の外側に隣接して設けてもよい。同様に第２給水管６３は骨部２の内側に設けてもよく、骨部２の外側に沿って設けてもよい。
【００４３】
ノズル６４に関しては、たとえば図９に示すようにノズル６４の内壁面に螺旋状の溝６５を設け、ノズル６４内を通過する水を旋回させ、ノズル６４の噴出孔６６から噴出される霧Ｍの勢い及び範囲を増幅させる構造が挙げられるが、ノズルの構造はこれに限るものではなく、公知公用のいずれの構造を採用してもよい。
【００４４】
図６、図１０及び図１１に示すように、ノズル６４の位置及び角度を調整し、下方に曲折した傘布４の四辺形部位４３に向けて霧Ｍを噴射させると、噴射された霧Ｍは四辺形部位４３に沿うように進行方向が下方に曲がり、上下方向に幕状に広がることになる。幕状に広がった霧Ｍは、傘の外側に立ち込める熱気を遮断し、使用者の冷涼感を高める効果がある。
【００４５】
第２給水管６３及びノズル６４を、蛇腹ホースの如き可撓性のある接続部６７で接続してもよい。この場合、霧Ｍが噴射される方向の調整が容易になる。
【００４６】
噴射されると広がりつつ進んでゆく霧Ｍの性質を利用し、ノズル６４の向きを変えることで、上下方向に幕状に広がる際の霧Ｍの密度や広がりを制御することが可能となる。即ち、四辺形部位４３のノズル６４から近い部位に向けて霧Ｍを噴射すると、霧Ｍはあまり広がらず、厚い幕状となり、ノズル６４から遠い部位に向けて噴射すると、霧Ｍは広がり、薄い幕状となる。
【００４７】
シャフト１１とハンドル部５は、回動する構造であるのが望ましい。そうすることで、トリガー部を使用しやすい位置に固定したままノズル６４を移動させることが可能となり、ひいては常時好ましい方向から霧Ｍを噴出させることが可能となる。
【００４８】
即ち、図１０に示すように、後方から風が吹いている時は、シャフト１１を回動させノズル６４を後方に位置させることで、ノズル６４から噴出された霧Ｍは後方からの風に煽られ使用者Ｕに降りかかり、使用者Ｕは霧の冷涼感を体感することが可能となる。
【００４９】
同様に、右側方からの風が吹いている時は、右側方にノズル６４が位置するようにシャフト１１を回動させればよく、左側方から風が吹いている時は左側方にノズル６４が位置するようにシャフト１１を回動させればよい。
【００５０】
これにより使用中の風向きの変化、あるいは歩行中の方向転換にも、シャフト１１を即座に回動させるだけで対応でき、ノズル６４を常時風上の方向に位置させておくことで、使用者Ｕは冷涼感を体感し続けることが可能となる。
【００５１】
また、図１１に示すように、無風状態の時は前方にノズル６４を位置させればよい。ノズル６４から噴出された霧Ｍはその場に留まり続け、そこに使用者Ｕが歩みを進めることで、その身体に霧Ｍが降りかかり、使用者Ｕは冷涼感を体感することができる。
【００５２】
図示は省略するが、第２給水管６３及びノズル６４は、複数設けてもよい。たとえば１８０度開いた２箇所の骨部２沿いにノズル６４を２個、又は１２０度開いた３箇所の骨部２沿いにノズル６４を３個配置することにより、風向きが安定しない日においてシャフト１１を細かく回動させずに冷涼感を体感することが可能となるのに加え、無風状態の時に立ち止まっていてさえも、周囲がさながらバリアのように幕状の霧Ｍに覆われることにより、傘の外側に広がる熱気を遮断し、更なる冷涼感を体感することが可能となる。
【００５３】
また、隣接する２箇所の骨部４の端部それぞれの近傍にノズル６４を配置してもよい。この場合、霧Ｍがより広範囲にわたって噴射されることにより、使用者Ｕが霧Ｍに触れる表面積もそれだけ増すことになる。
【００５４】
複数の第２給水管６３及びノズル６４を配設する際は、連結部６２もしくは各第２給水管６３及びノズル６４のいずれかの部位において、開閉を可能にさせる栓を設けるのが好ましい。栓を開閉させることにより、１箇所からのみ霧Ｍを噴出させたい時と複数箇所から霧Ｍを噴出させたい時の使い分けが可能となる。
【００５５】
本発明における傘本体の性質については、水の気化熱を利用して冷涼感を得る構造や夏の酷暑を和らげるその目的から、日傘であるのが好ましいが、日傘に限るものではなく、日傘としての適性を備えた雨傘でもよい。
【符号の説明】
【００５６】
１        傘本体
１１      シャフト
２        親骨
２１      軸穴
３        露先部材
３１      傘布止着部
３２      親骨連結部
３３      可動支点
３４      軸穴
３５      軸
３６      バネ材
４        傘布
４１      布片
４２      三角形部位
４３      四辺形部位
４４ａ    可動支点
４４ｂ    可動支点
４５      折れ線
４６      親骨辺
４７      露先辺
４８      傘布縁辺
５        ハンドル部
５１      貯水タンク
５２      ピストン
５３      トリガー部
５４      シリンダ
５５      吐出し弁
５６      吸込み弁
５７      給水孔
５８      蓋
６        噴霧装置
６１      第１給水管
６２      連結部
６３      第２給水管
６４      ノズル
６５      溝
６６      噴出孔
６７      接続部
Ｍ        霧
Ｕ        使用者
【図１】
2020065905.tif 000003
【図２】
2020065905.tif 000004
【図３】
2020065905.tif 000005
【図４】
2020065905.tif 000006
【図５】
2020065905.tif 000007
【図６】
2020065905.tif 000008
【図７】
2020065905.tif 000009
【図８】
2020065905.tif 000010
【図９】
2020065905.tif 000011
【図１０】
2020065905.tif 000012
【図１１】
2020065905.tif 000013
【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
シャフト、親骨及び傘布を有し、開閉可能な日傘に適する傘に用いられる部材において、
親骨の先端に取り付けられる露先部材が下記［Ａ］又は［Ｂ］構成を有し、
前記露先部材は端部に傘布を止着する傘布止着部を有し、
傘を開いた際には、前記傘布の張力により前記露先部材が下方に曲折して対向者の目の安全に寄与すると共に、閉じた際には原状の直線状になることを特徴とする傘の露先部材。
［Ａ］
外力によってバネ材の如く弾性的に曲折可能であると共に、外力が無くなることによって原状に復帰する可撓性樹脂等であること。
［Ｂ］
露先部材が、バネ材を有すると共に、枢止されることにより親骨に取り付けられること。
【請求項２】
請求項１に記載の露先部材を備えることを特徴とする傘。
【請求項３】
ハンドル部に設けられた貯水タンク及び手動又は電動ポンプと、
シャフト部に沿って設けられた第１給水管と、
骨部の１つに沿って設けられた第２給水管及びその先端部に設けられたノズルとを有する噴霧装置付きの傘であって、
前記ポンプを作動させることによって、貯水タンク内の水が第１給水管及び第２給水管を通り、第２給水管の先端部に設けられたノズルから霧状になって散布される噴霧装置付きの日傘として適切な請求項２に記載の傘。
【請求項４】
第２給水管の先端部に設けられたノズルが、下方に曲折した露先部材に止着された傘布の内側に向け霧状水を噴出する構成であることを特徴とする噴霧装置付きの日傘として適切な請求項３に記載の傘
【手続補正２】
【補正対象書類名】明細書
【補正対象項目名】０００９
【補正方法】変更
【補正の内容】
【０００９】
上記課題を解決する本発明は、以下の構成を有する。
１．シャフト、親骨及び傘布を有し、開閉可能な日傘に適する傘に用いられる部材において、
親骨の先端に取り付けられる露先部材が下記［Ａ］又は［Ｂ］構成を有し、
前記露先部材は端部に傘布を止着する傘布止着部を有し、
傘を開いた際には、前記傘布の張力により前記露先部材が下方に曲折して対向者の目の安全に寄与すると共に、閉じた際には原状の直線状になることを特徴とする傘の露先部材。
［Ａ］
外力によってバネ材の如く弾性的に曲折可能であると共に、外力が無くなることによって原状に復帰する可撓性樹脂等であること。
［Ｂ］
露先部材が、バネ材を有すると共に、枢止されることにより親骨に取り付けられること。
２．上記１に記載の露先部材を備えることを特徴とする傘。
３．ハンドル部に設けられた貯水タンク及び手動又は電動ポンプと、
シャフト部に沿って設けられた第１給水管と、
骨部の１つに沿って設けられた第２給水管及びその先端部に設けられたノズルとを有する噴霧装置付きの傘であって、
前記ポンプを作動させることによって、貯水タンク内の水が第１給水管及び第２給水管を通り、第２給水管の先端部に設けられたノズルから霧状になって散布される噴霧装置付きの日傘として適切な上記２に記載の傘。
４．第２給水管の先端部に設けられたノズルが、下方に曲折した露先部材に止着された傘布の内側に向け霧状水を噴出する構成であることを特徴とする噴霧装置付きの日傘として適切な上記３に記載の傘。
【手続補正３】
【補正対象書類名】明細書
【補正対象項目名】００１１
【補正方法】変更
【補正の内容】
【００１１】
また、請求項１に示す発明によれば、より安全性の高い露先部材を提供できると共に、傘の開閉操作も容易である傘の露先部材を提供できる。
【手続補正４】
【補正対象書類名】明細書
【補正対象項目名】００１２
【補正方法】変更
【補正の内容】
【００１２】
請求項２に示す発明によれば、上記効果を発揮できる傘を提供できる。
【手続補正５】
【補正対象書類名】明細書
【補正対象項目名】００１３
【補正方法】変更
【補正の内容】
【００１３】
請求項３に示す発明によれば、ハンドル部にポンプが設けられていることにより、傘を差すその手で同時にポンプを作動させ、霧を噴出させることが可能となる。
【手続補正６】
【補正対象書類名】明細書
【補正対象項目名】００１４
【補正方法】変更
【補正の内容】
【００１４】
また、請求項３に示す発明によれば、骨部の１つに沿って設けられた第２給水管の先端に配置したノズルから霧を噴出させることにより、風向きや風の強さにかかわらず傘の内側、即ち、傘を差す使用者に霧が当たるようにすることが可能となる。たとえば、右側方から風が吹いてくる際には、ノズルが右側方に位置するように傘を持てばよいし、後方から風が吹いてくる際には、ノズルが後方に位置するように傘を持てばよい。無風状態ならば、ノズルが進行方向に位置するように傘を持つことで、ノズルから噴出された霧の中に歩みを進める形となり、使用者の身体に霧が降りかかることとなる。
【手続補正７】
【補正対象書類名】明細書
【補正対象項目名】００１５
【補正方法】変更
【補正の内容】
【００１５】
請求項４に示す発明によれば、ノズルより噴射される霧は、円周部分が下方に曲折した傘布に沿うように進行方向を下方に曲げ、上下方向に幕状に広がることで、傘の外側に立ち込める暑い空気を遮断し、使用者の冷涼感を高めることが可能となる。